(57)【要約】      （修正有）【課題】葬儀に際して故人のあの世への旅立ちに使用される草履具、杖具、笠具等に華やかな花材をアレンジすることで、故人のあの世への旅の安全性とその旅が無事に終えることとの遺族の思いを祈念できる納棺用旅立ちセット具を提供する。【解決手段】納棺用旅立ちセット具１は、故人のあの世への旅立ちの旅支度として形成された草履具２、杖具３、笠具４に花材５を取り付ける。草履具２、杖具３、笠具４は実際の草履、杖、笠等の模造品とし、花材５は、プリザーブドフラワーを主とする造花とする。【選択図】図２
0003229547.tif 000002
【実用新案登録請求の範囲】
【請求項１】
故人のあの世への旅立ちの旅支度として形成された草履具、杖具、笠具に花材を取り付けたことを特徴とする納棺用旅立ちセット具。
【請求項２】
草履具、杖具、笠具は模造品としてある請求項１に記載の納棺用旅立ちセット具。
【請求項３】
花材は、プリザーブドフラワーを主とする造花としてある請求項１または２に記載の納棺用旅立ちセット具。
【考案の詳細な説明】
【技術分野】
【０００１】
この考案は、人が死去したとき現世を離れて次の生を受けるまで旅をしながらあの世に向かうとされていることに鑑み、あの世への旅に役立つとされる草履具、杖具、笠具をセットにして棺桶に収納できるようにした納棺用旅立ちセット具に関する。
【背景技術】
【０００２】
従来から、故人の葬儀時には、あの世への旅に役立てるようにと故人の常用物、好物、思い出の物品その他と共にいわゆる三途の川の渡し賃等を棺桶に納め、また故人の周囲を供花等で飾ることが一般的に行われている。故人には、その旅装束として仏衣、脚絆、頭陀袋、数珠、天冠、編み笠、草履、杖等を合わせて納めてもいる。
【０００３】
ただ、近時は葬儀の慣習にこだわらず、故人に対する関係者の思いを託す各種の品物を納めることもあり、特にあの世への旅立ちを美しくするように、棺内における故人の周囲を華やかに装うように様々な草花によって装うようにしている。そしてこれに沿うように、例えば特許文献１に示されるアレンジフラワー、特許文献２に示される納棺用花飾り、特許文献３に示される納棺用造花、特許文献４に示される棺内献花用の造花等が提案されている。
【０００４】
特許文献１のアレンジフラワーは、造花等が差し込まれた台座を有害物質が発生しない材質の装飾物で飾り、香りを付するとする。特許文献２の納棺用花飾りは、花びら形の紙葉本体に、お経、図柄等が書き込み可能な余白欄を設け、芳香・脱臭処理を施すとする。特許文献３の納棺用造花は、棺桶の中での冷凍・冷気に影響されない造花にお経札をつけるとする。特許文献４の棺内献花用の造花は、本体部の上部に１８０度または３６０度に回転展開できる花弁部を固定して立体的に形成し得るものとし、弔意、氏名等を記入する余白部を設けるとする。
【先行技術文献】
【特許文献】
【０００５】
【特許文献１】特開２０００−２２６７１２号公報
【特許文献２】登録実用新案第３０６２４６４号公報
【特許文献３】登録実用新案第３２１８０３８号公報
【特許文献４】実開平６−３３２６号公報
【考案の概要】
【考案が解決しようとする課題】
【０００６】
ところが、このような棺桶に収められる従来の花飾りその他は、単に造花であったり、故人への思いその他を記入できたりするようにしているにすぎず、故人のあの世への旅立ちに際し必要な旅支度用品を華やかにし、また故人への遺族等の思いを託するに足りるものではなかった。
【０００７】
そこでこの考案は叙上のような従来存した諸事情に鑑み案出されたもので、葬儀に際して故人のあの世への旅立ちに使用される草履具、杖具、笠具等に華やかな花材をアレンジすることで、遺族の故人に対する安全な旅立ちの思いを一層深めることができるようにする納棺用旅立ちセット具を提供することにある。
【課題を解決するための手段】
【０００８】
上述した課題を解決するため、この考案にあっては、故人のあの世への旅立ちの旅支度として形成された草履具２、杖具３、笠具４に花材５を取り付けたことを特徴とする。
草履具２、杖具３、笠具４は、模造品として構成することができる。
花材５は、プリザーブドフラワーを主とする造花として構成することができる。
【０００９】
以上のように構成されたこの考案に係る納棺用旅立ちセット具にあって、故人があの世に旅立つとされるときの旅支度としての草履具２、杖具３、笠具４を花材５によって華やかに装わせる。
【考案の効果】
【００１０】
この考案は以上説明したように構成されているため、葬儀に際し、故人があの世に旅立つときに使用するとされる草履具２、杖具３、笠具４を花材５によって飾ることができ、故人のあの世への旅立ちを華やかに装うことができる。また、遺族の個人に対する様々な思いを花材５に託することができ、あの世への旅の安全とその旅が無事に終えることを一層祈念することができる。
【００１１】
また、草履具２、杖具３、笠具４はいずれも模造品とすることで、取扱いも容易であり、棺桶１０内に納めるにも簡単である。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す斜視図である。
【図２】同じく棺桶に納める際の使用状態の参考斜視図である。
【考案を実施するための形態】
【００１４】
以下、図面を参照してこの考案を実施するための一形態を説明すると、図において示される符号１はこの考案に係るセット具であり、このセット具１は、故人があの世に旅立つ際の旅支度に必要な草履具２、杖具３、笠具４等に花材５を取り付けて成る。
【００１５】
人が亡くなると、現世を離れて次の生を受けるまで旅をしながらあの世に向かうと考えられており、その７日毎の裁きを無事に済ませ、来世までの旅が無事に終えることができるようにとの思いを込めて、これらの草履具２、杖具３、笠具４等による旅支度が整えられるのである。
【００１６】
また、これらの草履具２、杖具３、笠具４等は実際の物品そのものとはせずに、これらを模造してやや小さくしたものとして形成されている。
【００１７】
草履具２は、例えば全長が１８０ｍｍ、幅が９０ｍｍ、厚さが４０ｍｍ程度の大きさに組紐材、藁材等によって編み上げて形成されている。
【００１８】
杖具３は、例えば全長が５００ｍｍ、上部の握り部分の幅が１００ｍｍ、厚さが５０ｍｍ程度の大きさとされ、例えば桐、杉等の木材によって形成されている。
【００１９】
笠具４は、例えば直径が３００ｍｍ、高さが７０ｍｍ程度の大きさに組紐材、藁材等によって編み上げて形成されている。
【００２０】
なお、いずれも火葬燃焼時に公害となる有害ガスを発生しない素材によって形成されるのであり、また、その大きさ等も上記例に限るものではない。
【００２１】
また、花材５は造花が使用され、例えば生花にオーガニック系染料を吸わせ、特殊な加工を施すことでナチュラルな姿や風合い、鮮やかな花色を長期間にわたって保つことが可能となる加工花であるプリザーブドフラワーを主として使用することで形成される。この花材５は、造花とする場合に限らず、生花とされることもある。なお、好ましくは故人、遺族等が好む生花等から様々に組み合わせて選択使用されるようにしている。
【００２２】
これの使用に際しては、図２に示されるように、故人を納めた棺桶１０内に、草履具２、杖具３、笠具４のそれぞれに対応した適宜箇所に載置されるもので、その他の納棺物と共に納められる。
【符号の説明】
【００２３】
１…セット具
２…草履具
３…杖具
４…笠具
５…花材
１０…棺桶
【図１】
0003229547.tif 000003
【図２】
0003229547.tif 000004